(57)【要約】【課題】表示装置としての利用が容易であり、長期貯蔵安定性に優れ、化学発光効果が大きい新規な化学発光用組成物およびそれを使用した化学発光方法を提供する。【解決手段】シュウ酸エステルと蛍光物質と過酸化水素と有機強酸とを含有し、ｐＨが３．６〜４．２であり、シュウ酸エステルと過酸化水素との反応が抑制されている化学発光用組成物、および、シュウ酸エステルと過酸化水素と有機強酸とを含有し、ｐＨが３．６〜４．２であり、シュウ酸エステルと過酸化水素との反応が抑制されている化学発光用組成物。【選択図】なし【特許請求の範囲】
【請求項１】
シュウ酸エステルと蛍光物質と過酸化水素と有機強酸とを含有し、ｐＨが３．６〜４．２であり、シュウ酸エステルと過酸化水素との反応が抑制されている化学発光用組成物。
【請求項２】
シュウ酸エステルと過酸化水素と有機強酸とを含有し、ｐＨが３．６〜４．２であり、シュウ酸エステルと過酸化水素との反応が抑制されている化学発光用組成物。
【請求項３】
有機強酸のｐｋａが２以下である請求項１又は２に記載の化学発光用組成物。
【請求項４】
有機強酸がパラトルエンスルホン酸である請求項１〜３の何れかに記載の化学発光用組成物。
【発明の詳細な説明】
【技術分野】
【０００１】
本発明は、化学発光用組成物および化学発光方法に関する。
【背景技術】
【０００２】
従来より、一方の容器に収容されたシュウ酸エステル及び蛍光物質を含有するＡ液（蛍光液）と他方の容器に収容された過酸化水素および触媒成分を含有するＢ液（酸化液）とを混合することにより化学発光を起こさせるシステムは公知である。
【０００３】
従来の化学発光システムでは、上記の通り、Ａ液（蛍光液）とＢ液（酸化液）とを混合することにより化学発光を起こさせているが、表示装置として利用する場合に種々の制限を受ける。
【０００４】
上記の問題を解決するために、触媒成分を担持させた被発光基材に、予め調製したシュウ酸エステルと蛍光物質と過酸化水素とを含有する溶液を接触させることにより化学発光を行なう方法が知られている（例えば特許文献１参照）。しかしながら、シュウ酸エステルと蛍光物質と過酸化水素とを含有する溶液を調製した際、シュウ酸エステルと過酸化水素とが若干反応するために弱く発光する。そのため、溶液の寿命が短く、長期貯蔵安定性に欠ける。また、予め弱く発光している溶液を使用するために、イベント等で使用した際にインパクトが弱いという問題があった。
【０００５】
【特許文献１】特開２００２−１３８２７８号公報
【発明の開示】
【発明が解決しようとする課題】
【０００６】
本発明は、上記実情に鑑みなされたものであり、その目的は、表示装置としての利用が容易であり、長期貯蔵安定性に優れ、化学発光効果が大きい新規な化学発光用組成物およびそれを使用した化学発光方法を提供することにある。
【課題を解決するための手段】
【０００７】
本発明者は、上記課題に鑑み、鋭意検討した結果、シュウ酸エステルと過酸化水素との混合物に有機強酸を添加することにより、シュウ酸エステルと過酸化水素との反応を抑制することが出来、長期間保存しても活性が維持できることを見出し、本発明を完成するに至った。
【０００８】
すなわち、本発明の第１の要旨は、シュウ酸エステルと蛍光物質と過酸化水素と有機強酸とを含有する化学発光用組成物に存する。
【０００９】
本発明の第２の要旨は、シュウ酸エステルと過酸化水素と有機強酸とを含有する化学発光用組成物に存する。
【００１０】
本発明の第３の要旨は、触媒成分を担持させた被発光基材に、シュウ酸エステルと蛍光物質と過酸化水素と有機強酸とを含有する組成物を接触させることを特徴とする化学発光方法に存する。
【００１１】
本発明の第４の要旨は、触媒成分および蛍光物質を担持させた被発光基材に、シュウ酸エステルと過酸化水素と有機強酸とを含有する組成物を接触させることを特徴とする化学発光方法に存する。
【発明の効果】
【００１２】
本発明の化学発光用組成物は、表示装置としての利用が容易であり、長期貯蔵性に優れ、化学発光効果が大きい。従って、本発明の化学発光用組成物を使用した化学発光方法は、種々の表示装置に応用することが出来、本発明の工業的価値は高い。
【発明を実施するための最良の形態】
【００１３】
以下、本発明を詳細に説明する。本発明の第１の要旨に記載の組成物（以下、化学発光用組成物（１）と称する）は、シュウ酸エステルと蛍光物質と過酸化水素と有機強酸とから成り、第２の要旨に記載の組成物（以下、化学発光用組成物（２）と称する）はシュウ酸エステルと過酸化水素と有機強酸とから成る。
【００１４】
本発明の化学発光における発光原理それ自体は、従来公知の化学発光システムと同じと考えられ、従来のＡ液（蛍光液）及びＢ液（酸化液）を構成する各成分に基づく化学反応に基づく（過シュウ酸エステル化学発光）。
【００１５】
すなわち、オキサレートと過酸化水素との反応により発光中間体（過酸化物）が生じ、当該発光中間体により蛍光物質が強く発光する。具体的には、オキサレートと過酸化水素による化学発光反応（過シュウ酸エステル化学発光）により、過酸化物から１，２−ジオキセタンジオン又は置換１，２−ジオキセタンジオンが生じ、これと蛍光物との間で電荷移動錯体が形成され、これから、励起状態の蛍光物と二酸化炭素とに分解する。そして、斯かる反応は、触媒の作用により促進される。従って、本発明においては、従来のＡ液（蛍光液）及びＢ液（酸化液）を構成する各成分を使用することが出来る。
【００１６】
シュウ酸エステル（オキサレート）としては、例えば、ビス（２，４，５−トリクロロ−６−カルボブトキシフェニルオキザレート）、ビス（２，４，５−トリクロロ−６−カルボペントキシフェニルオキザレート）等が例示される。
【００１７】
蛍光物質としては、３００〜１２００ｎｍにスペクトル発光を有し、且つ、希釈剤に少なくとも部分的に可溶なものであれば特に制限はない。これらの蛍光物質としては、例えば、アントラセン、置換アントラセン、ベンゾアントラセン、フェナントレン、置換アントラセン、ベンゾアントラセン、フェナントレン、置換フェナントレン、ナフタセン、置換ナフタセン、ペンタセン、置換ペンタセン、ペリレン、置換ペリレン、ビオラントロン、置換ビオラントロン等の、少なくとも３つの縮合環を有する共役多環芳香族化合物が挙げられる。上記化合物の置換基としては、フェニル基、低級アルキル基（Ｃ１〜Ｃ１６）、クロロ基、ブロモ基、シアノ基、アルコキシ基（Ｃ１〜Ｃ１６）が例示される。
【００１８】
好適な蛍光物質としては、９，１０−ビス（フェニルエチニル）アントラセン、１−メトキシ−９，１０−ビス（フェニルエチニル）アントラセン、ペリレン、１，５−ジクロロ−９，１０−ビス（フェニルエチニル）アントラセン、１，８−ジクロロ−９，１０−ビス（フェニルエチニル）アントラセン、ルブレン、モノクロロ及びジクロロ置換９，１０−ビス（フェニルエチニル）アントラセン、５，１２−ビス（フェニルエチニル）テトラセン、９，１０−ジフェニルアントラセン、１６，１７−ジヘキシルオキシビオラントロン、２−メチル−９，１０−ビス−（フェニルエチニル）アントラセン、９，１０−ビス−（４−メトキシフェニル）−２−クロロアントラセン、９，１０−ビス−（４−エトキシフェニル）−２−クロロアントラセン、１６，１７−ジデシクロキシビオラントロン、「ルモゲン・レッド」（「ＬＵＭＯＧＥＮ  ＲＥＤ」、赤色を発するペリレンジカルボキシイミド蛍光剤）、（「ＬＵＭＯＧＥＮ  ＹＥＬＬＯＷ」、黄色を発するペリレンジカルボキシイミド蛍光剤）、（「ＬＵＭＯＧＥＮ  ＯＲＡＮＧＥ」、オレンジ色を発するペリレンジカルボキシイミド蛍光剤）、５，１２−ビス−（フェニルエチニル）ナフタセン、５，６，１１，１２−テトラフェニルナフタセン及びこれらの混合物が挙げられる。
【００１９】
過酸化水素としては、通常市販されているものが使用できる。
【００２０】
本発明の化学発光用組成物（１）及び（２）に於て、上記の各成分の使用割合は、従来公知の化学発光体に準じて任意に選択することが出来る。一般に、オキサレートと蛍光物質の量比（モル比）は、化学発光を生じるのに十分な量とされるが、好ましくは２０〜４０：１である。
【００２１】
本発明で使用する有機強酸は、化学発光用組成物のｐＨを調節し、シュウ酸エステルと過酸化水素との反応を抑制する働きを有し、この働きを有するものであれば特に制限は無い。有機強酸のｐｋａは、有機強酸の使用量にもよるが、通常２以下、好ましくは−２〜２である。有機強酸としては、スルホン酸基、リン酸基、カルボン酸基を有する芳香族強酸または脂肪族強酸が好ましい。芳香族スルホン酸としては、ベンゼンスルホン酸、ｏ−トルエンスルホン酸、ｍ−トルエンスルホン酸、ｐ−トルエンスルホン酸、ｏ−キシレン−３−スルホン酸、ｏ−キシレン−４−スルホン酸、ｏ−キシレン−５−スルホン酸、ｐ−キシレンスルホン酸、ｏ−ベンゼンスルホン酸、ｍ−ベンゼンスルホン酸、ｐ−ベンゼンスルホン酸、１，３，５−ベンゼントリスルホン酸、ｏ−クロロベンゼンスルホン酸 
、ｍ−クロロベンゼンスルホン酸、ｐ−クロロベンゼンスルホン酸、ｏ−ブロモベンゼンスルホン酸、ｍ−ブロモベンゼンスルホン酸 、ｐ−ブロモベンゼンスルホン酸、ｏ−フ
ェノールスルホン酸 、ｍ−フェノールスルホン酸、ｐ−フェノールスルホン酸、フェノ
ール−２，４−ジスルホン酸、カテコール−３，５−ジスルホン酸、ニトロベンゼンスルホン酸、４−クロロ−３−メチル−５−ニトロゼンゼンスルホン酸、４−ヒドロキシー３−ニトロベンゼンスルホン酸などが例示される。
【００２２】
脂肪族スルホン酸としては、メタンスルホン酸、エタンスルホン酸、メタンジスルホン酸、１，２−エタンジスルホン酸、２−ヒドロキシエタンスルホン酸、スルホ酢酸などが例示される。
【００２３】
リン酸基またはカルボン酸基を有する有機強酸としては、２−グリセリン燐酸、ｐ−グルコース−１−リン酸、ニトロ酢酸、ピコリン酸等の有機リン酸やカルボン酸などが例示される。
【００２４】
上記の有機強酸は２種以上組合せて使用してもよい。上記の有機強酸の中でも、好ましくはｐ−トルエンスルホン酸、ニトロ酢酸であり、低コスト及び容易に入手できる観点から、ｐ−トルエンスルホン酸がより好ましい。
【００２５】
本発明に於て、有機強酸を使用してシュウ酸エステルと過酸化水素との反応を抑制するが、弱酸であるカルボン酸などを使用した場合、上記反応抑制は達成出来ず、また、より強い鉱酸（塩酸、硫酸など）を使用した場合、シュウ酸エステルや過酸化水素の分解が起る。さらに、鉱酸を希釈して使用することも考えられるが、希釈した酸の添加によりシュウ酸エステル及び過酸化水素の濃度が薄まり、反応性が低下する。
【００２６】
有機強酸の添加量は、使用する有機強酸のｐｋａにより異なるが、シュウ酸エステルと蛍光物質と過酸化水素とから成る組成物が弱酸性（以下で説明するｐＨ範囲内）に成る様な量を添加すればよく、 通常、過酸化水素１モルに対し０．１ｍモル倍量以上、好まし
くは１０ｍモル倍量以上である。添加量が少なすぎると、シュウ酸エステルと過酸化水素との反応が抑制できないこともあり、添加量が多すぎると酸性が強く成りすぎ、触媒と接触させても化学発光しない場合がある。
【００２７】
化学発光用組成物（１）及び（２）のｐＨは、通常３．０〜４．５、好ましくは３．６
〜４．２である。ｐＨが３．０より低い場合、触媒と接触させても化学発光しなくなる可能性があり、ｐＨが４．５より高い場合、シュウ酸エステルと過酸化水素との反応を抑制することができない可能性がある。
【００２８】
本発明の化学発光用組成物（１）及び（２）は、必要に応じて溶媒を使用してもよい。溶媒としては、エステル、アルコール等が例示され、エステルとしてはフタル酸ジメチル、フタル酸ジブチル等のフタル酸エステルが好ましく、アルコールとしては３級アルコールが好ましく、ｔ−ブタノールがより好ましい。
【００２９】
化学発光用組成物（１）は触媒と接触させた際に化学発光し、化学発光用組成物（２）は触媒と蛍光物質とから成る混合物に接触させた際に化学発光する。触媒（賦活剤）としては、例えば、サリチル酸リチウム、５−ｔ−ブチルサリチル酸リチウム、サリチル酸ナトリウム、サリチル酸テトラアルキルアンモニウム塩、２−クロロ安息香酸リチウム、酢酸ルビジウム等のサリチル酸およびその誘導体、安息香酸およびその誘導体または酢酸の金属塩またはアンモニウム塩などが挙げられる。
【００３０】
本発明の化学発光用組成物（１）及び（２）の調製方法は、特に制限されず、化学発光用組成物（１）の場合は、シュウ酸エステル、蛍光物質、過酸化水素および有機強酸を、化学発光用組成物（２）の場合は、シュウ酸エステル、過酸化水素および有機強酸を、それぞれ任意の方法で混合し、調製することが出来るが、シュウ酸エステルと過酸化水素とが反応を開始しないように以下の方法で調製することが、長期貯蔵安定性の観点から好ましい。
【００３１】
すなわち、化学発光用組成物（１）の場合は、シュウ酸エステル、蛍光物質および必要に応じて溶媒から成る溶液（溶液Ａと称する）を調製し、これとは別に、過酸化水素、有機強酸および必要に応じて溶媒から成る溶液を調製し（溶液Ｂと称する）、溶液Ａと溶液Ｂとを混合して本発明の化学発光用組成物（１）を調製する。化学発光用組成物（２）の場合は、シュウ酸エステルおよび必要に応じて溶媒から成る溶液（溶液Ａ’と称する）を調製し、これとは別に、過酸化水素、有機強酸および必要に応じて溶媒から成る溶液を調製し（溶液Ｂと称する）、溶液Ａ’と溶液Ｂとを混合して本発明の化学発光用組成物（２）を調製する。上記の調製方法は、有機強酸により過酸化水素のｐＨを弱酸性に調節した後にシュウ酸エステルと混合するために、過酸化水素とシュウ酸エステルとの反応を最小限に抑制することが出来る。
【００３２】
本発明の化学発光用組成物（１）は蛍光物質を含有するが、上記の様にして調製された化学発光用組成物（１）に於て化学発光現象は認められない。これは、有機強酸を添加することにより、化学発光用組成物（１）のｐＨが、シュウ酸エステルと過酸化水素との反応が抑制される領域に調節されるからである。同様に、本発明の化学発光用組成物（２）についても、有機強酸を添加することにより、化学発光用組成物（２）のｐＨが、シュウ酸エステルと過酸化水素との反応が抑制される領域に調節される。そのため、本発明の化学発光用組成物（１）及び（２）は、長期間安定して保存することが出来る。また、化学発光現象が認められないことから、触媒と接触させた際の化学発光の効果が非常に大きい。
【００３３】
一方、従来の有機強酸を添加しない、シュウ酸エステル、蛍光物質および過酸化水素から成る化学発光用組成物におけるｐＨは、シュウ酸エステルと過酸化水素との反応が抑制される領域よりも高いため、シュウ酸エステルと過酸化水素との反応が僅かに起り、弱い化学発光が生じるため、長期間の保存は出来ない。また、イベント等で使用した際、予め弱く発光しているため、触媒と接触させた際の化学発光の効果が弱い。
【００３４】
本発明の化学発光方法に於ては、化学発光用組成物（１）の場合、被発光基材に触媒を担持させ、化学発光用組成物（２）の場合、被発光基材に触媒および蛍光物質を担持させる。そして、斯かる被発光基材にそれぞれ対応する本発明の化学発光用組成物（１）又は（２）を含有する溶液を接触させることにより、化学発光を行わせる。
【００３５】
被発光基材としては、触媒成分または蛍光物質を担持し得る限りその種類は特に制限されず、ガラス繊維シート、紙（濾紙）、ガラスシート、プラスチックシート、金属シート等が挙げられる。そして、触媒または触媒および蛍光物質から成る組成物は、練り込み法や溶液のスプレー法により上記の被発光基材の表面に担持される。
【００３６】
本発明の化学発光方法は、上記の様にして被発光基材を利用するため、表示装置としての利用が容易である。例えば、上記のシートの表面に触媒または触媒および蛍光物質から成る組成物の担持によって表示（例えば矢印）を施して表示部とし、本発明の化学発光用組成物の供給が可能で且つ窓を備えた容器の当該窓の内側に上記の表示部を張合せ、発光の必要なときに化学発光用組成物を供給する。その結果、上記の表示（例えば矢印）部に担持された触媒成分または触媒および蛍光物質から成る組成物と化学発光用組成物とが接触して上記の表示（例えば矢印）が発光する。
【００３７】
本発明の化学発光方法は表示装置に好適に利用することが出来る。この場合、上記の様に被発光基材が表示部を構成する。そして、触媒または触媒および蛍光物質から成る組成物の担持により、文字、図形、記号などの表示部が形成される。本発明の化学発光方法は、特に停電時の緊急表示として有用である。この場合、化学発光用組成物の供給は、電池による他、落差を利用する方法などによって行われる。
【００３８】
例えば、避難誘導のための表示ラインとして好適に使用できる。すなわち、非常口までの避難経路をパイプ等で線状に連続的に表示するような避難誘導灯において、パイプ内に触媒または触媒および蛍光物質から成る組成物を担持させておき、使用時に、本発明の化学発光用組成物（１）又は（２）をパイプ内に流通させることにより、線状で連続的な化学発光による避難誘導灯として使用することが出来る。従来のＡ液（蛍光液）とＢ液（酸化液）とを混合することにより化学発光を起こす方法では、混合調製に時間がかかり、パイプの末端に到達する前に化学発光能力が失われてしまう可能性があった。また、特開２００２−１３８２７８号公報に記載されている方法では、溶液の寿命が短く、長期貯蔵安定性に欠けるという問題があった。本発明の化学発光用組成物を使用した化学発光方法を使用することにより、優れた化学発光表示装置を提供することができる。
【実施例】
【００３９】
以下、本発明を実施例により更に詳細に説明するが、本発明は、その要旨を超えない限り、以下の実施例に限定されるものではない。
【００４０】
実施例１：
シュウ酸エステルとしてビス（２，４，５−トリクロロ−６−カルボブトキシフェニルオキザレート）１０重量％と、青色蛍光物質として９，１０−ビス−（４−メトキシフェニル）−２−クロロアントラセン０．１２重量％と、溶媒としてフタル酸ジメチル８９．８８重量％とから成る溶液を調製した（溶液ａと称する）。一方、過酸化水素３重量％と、有機強酸としてｐ−トルエンスルホン酸０．０１重量％と、溶媒としてフタル酸ジブチル８９．９９重量％及び第３ブタノール７重量％とから成る溶液を調製した（溶液ｂと称する）。次いで、溶液ａと溶液ｂとを混合したところ、透明な溶液が得られ（溶液ａｂと称す）、発光現象は全く認められなかった。溶液ａｂのｐＨは４．０であった。
【００４１】
次いで、触媒としてサリチル酸ナトリウムを含有する１重量％水溶液を調製し、白色の
布に塗布して乾燥させ、乾燥前と変わらない白色の布を調製した。次に、筆に溶液ａｂをつけて上記の白色の布に文字を書くと青色に発光した文字が浮かび上がった。また、１０日間室温で保存した後の溶液ａｂを使用して同様の操作を行なったところ、同様に青色に発光した文字が浮かび上がった。したがって、溶液ａｂの長期貯蔵安定性は優れていることがわかった。
【００４２】
実施例２：
シュウ酸エステルとしてビス（２，４，５−トリクロロ−６−カルボブトキシフェニルオキザレート）１０重量％と、溶媒としてフタル酸ジメチル９０重量％とから成る溶液を調製した（溶液ｃと称する）。一方、過酸化水素３重量％と、有機強酸としてｐ−トルエンスルホン酸０．０１重量％と、溶媒としてフタル酸ジブチル８９．９９重量％及び第３ブタノール７重量％とから成る溶液を調製した（溶液ｄと称する）。次いで、溶液ｃと溶液ｄとを混合したところ、透明な溶液が得られた（溶液ｃｄと称す）。溶液ｃｄのｐＨは４．０であった。
【００４３】
次いで、触媒としてサリチル酸ナトリウム１重量％と、青色蛍光物質として９，１０−ビス−（４−メトキシフェニル）−２−クロロアントラセン０．１２重量％とを含有するメタノール溶液を調製し、白色の布に塗布して乾燥させ、乾燥前と変わらない白色の布を調製した。次に、筆に溶液ｃｄをつけて上記の白色の布に文字を書くと青色に発光した文字が浮かび上がった。また、１０日間室温で保存した後の溶液ｃｄを使用して同様の操作を行なったところ、同様に青色に発光した文字が浮かび上がった。したがって、溶液ｃｄの長期貯蔵安定性は優れていることがわかった。
【００４４】
比較例１：
実施例１の溶液Ｂに於て、ｐ−トルエンスルホン酸を添加せず、フタル酸ジメチルを９０重量％使用した以外は実施例１と同様の操作で溶液ａ及びｂ’を調製した。次いで、溶液ａと溶液ｂとを混合したところ、透明な溶液が得られたが（溶液ａｂ’と称す）、薄く青色の発光現象が認められた。溶液ａｂ’のｐＨは５．０であった。溶液ａｂ’を３日間室温で保存したところ、青色発光しなくなった。実施例１と同様に、サリチル酸ナトリウム水溶液を塗布乾燥させた白色の布に、筆に発光しなくなった溶液ａｂ’をつけて文字を書いたが、青色発光した文字は浮かび上がらず、すでに溶液ａｂ’は失活していた。